(57)【要約】一方向バルブアセンブリは、滅菌された流動可能物質を供給源から出口オリフィスへと流すと共に、流動可能物質が流れるのを止めると、この一方向バルブアセンブリを通る汚染物質のあらゆる逆流を防止する。このバルブアセンブリは、この流動可能物質の分注が止まったときに汚染物質のあらゆる逆流を防止するのを補助する弾性膜を備える。【選択図】図１
2009515165.tif 000002
【特許請求の範囲】
【請求項１】
流動可能物質を分注するための、一方向バルブアセンブリであって、
開口部を有する、前記流動可能物質のための供給源（２）と、
前記供給源から前記流動可能物質を受けると共に前記流動可能物質を分注するために前記供給源から前記開口部へ連結されたバルブアセンブリ（３）とを備え、
前記バルブアセンブリ（３）は、
前記供給源（２）から前記流動可能物質を受けるための入口開口部を有する軸方向に延びる内側コア（１０）と、
前記内側コア（１０）の外側表面の上に密に嵌め込まれた、軸方向に延びる可撓性膜（１３）と、
前記内側コア（１０）は、前記供給源から前記流動可能物質を受けるための前記供給源と連絡する、軸方向に延びる通路（１１）を有し、
前記内側コア（１０）の前記外側表面から前記膜の外側方向へと拡張するために、前記通路から前記可撓性膜（１３）の内側表面への少なくとも1つのポート（１２）と、
前記膜を取り囲み、前記膜の外側表面から半径方向外側方向に間隔を空けられている、軸方向に延びるカバー（１４）であって、前記カバー（１４）は前記入口開口部から軸方向に間隔を空けられた前記内側コア（１０）の端部に出口オリフィス（７ａ）を有し、コンテナ内に残る流動可能物質のいかなる汚染を防止する一方で、前記膜（１０）を拡張するために、前記供給源から前記内側コア内の通路への流れおよび前記少なくとも1つのポート（１２）の流れのため、ならびに、前記コアの外側表面と前記膜の内側表面との間における物質の、前記カバー内の前記出口オリフィス（７ａ）への流れのために、圧力が前記供給源（２）に適用される場合、ならびに、前記供給源への圧力が解放され、前記膜が前記内側コア（１０）の外側表面と密に接触するように戻され、前記膜と内側コアとの間のあらゆる流動可能物質を前記供給源（２）に戻す場合、前記バルブアセンブリから前記流動可能物質を分注する、カバーと
を備える、一方向バルブアセンブリ。
【請求項２】
前記可撓性膜（１３）は、前記カバー内の出口と隣接した前記膜の軸端においてより厚い厚さを有する可変の壁の厚さを有する、請求項１に記載の一方向バルブアセンブリ。
【請求項３】
前記膜（１３）は、前記カバー内の出口に隣接する前記膜の軸端において、軸方向に延びる連続的な、途切れていない、前記コアを完全に取り囲む環状の帯を有する、請求項２に記載の一方向バルブアセンブリ。
【請求項４】
前記膜（１３）は、前記内側コアの前記入口開口部に隣接してその前記端部に、半径方向外側に延びるフランジを有し、そして前記カバーは、前記膜上の前記フランジを押して、前記内側コアの中への前記入口開口部で、半径方向外側に延びるフランジと流体密接触させる半径方向外側に延びるフランジを有する、請求項２に記載の一方向バルブアセンブリ。
【請求項５】
前記出口オリフィスは、前記カバーに隣接する前記膜の軸端を用いて、前記内側カバーから直接に流れるようになっており、前記カバー内の前記出口オリフィス（７ａ）は、前記流動可能物質の選択された量を分注するように配置されている、請求項２に記載の一方向バルブアセンブリ。
【請求項６】
前記カバー内の前記出口オリフィスは、軟質の可撓性材料で形成されている、請求項５に記載の一方向バルブアセンブリ。
【請求項７】
前記バルブカバー（１４）は、軸方向に沿って延びる剛直なプラスチックの殻により側面に沿って取り囲まれている、内側の軸方向に延びる可撓性部材から形成されている、請求項２に記載の一方向バルブアセンブリ。
【請求項８】
前記プラスチックの殻は、前記内側コアに対して、前記内側開口部に隣接した前記バルブカバーの前記可撓性部材上に、半径方向外側に延びるフランジに対峙する半径方向外側に延びるフランジを有する、請求項７に記載の一方向バルブアセンブリ。
【請求項９】
前記流体が前記可撓性膜と密に接触させるために、前記プラスチックの殻上の前記フランジおよび前記可撓性膜上の前記フランジに対して前記バルブカバーの前記可撓性部材を押す手段が配されている、請求項８に記載の一方向バルブアセンブリ。
【請求項１０】
前記手段が、閉じられた前記供給源に対して前記バルブ本体を固定するためのカラーおよびコネクタ部材（８）を備える、請求項９に記載の一方向バルブアセンブリ。
【請求項１１】
オーバーキャップ（１５）は、保存のあいだ、前記バルブ本体の外部汚染を防ぎ、前記流動可能物質の意図されない分注から保護するために、前記バルブアセンブリの上に嵌まり込み、前記バルブアセンブリとのシールを形成するように配置されている、請求項１に記載の一方向バルブアセンブリ。
【請求項１２】
少なくとも２つの前記ポート（１２）が前記通路（１１）から前記可撓性膜（１３）の内側表面へと延び、前記通路は、前記コンテナから間隔を空けられた前記ポートを越えて出口のない経路を形成する前記通路（１１）を有する前記内側コアの端部に対して、前記ポートから延びており、かつ該端部から軸方向に間隔を空けられている、請求項１に記載の一方向バルブアセンブリ。少なくとも２つの前記ポート（１２）が前記通路（１１）から前記可撓性膜（１３）の内側表面へと延び、前記通路は、前記コンテナから間隔を空けられた前記ポートを越えて出口のない経路を形成する前記通路（１１）を有する前記内側コアの端部に対して、前記ポートから延びており、かつ該端部から軸方向に間隔を空けられている、請求項１に記載の一方向バルブアセンブリ。
【請求項１３】
前記閉じられた供給源（２）は、前記流動可能物質が折り畳み式供給源から押出されるのに比例して、縮小される前記折り畳み式供給源を備える、請求項１に記載の一方向バルブアセンブリ。
【請求項１４】
前記折り畳み式供給源がふいご、管および内部バッグのうちの１つである、請求項１３に記載の一方向バルブアセンブリ。
【請求項１５】
軸方向に延びる筐体（６）が前記供給源を側面に沿って取り囲む、請求項１４に記載の一方向バルブアセンブリ。
【請求項１６】
前記筐体が、分注圧力を前記折り畳み式供給源のアクチュエータ（２ａ）に適用するために軸方向に延びるスロットを有する、請求項１５に記載の一方向バルブアセンブリ。
【請求項１７】
前記カバーが閉じられた出口オリフィスを有し、分注圧力が前記供給源に適用される場合に、前記閉じられた出口オリフィスが、前記カバーから前記流動可能物質を分注するために開口する、請求項５に記載の一方向バルブアセンブリ。
【請求項１８】
前記カバー中の出口オリフィスが、前記流動可能物質に対して不浸透性であり、前記出口オリフィスの内側に前記流動可能物質を保持しない、請求項１７に記載の一方向バルブアセンブリ。
【発明の詳細な説明】
【技術分野】
【０００１】
本発明は、滅菌された流動可能物質の供給源の中への汚染物質のあらゆる逆流を防止しながら、その滅菌された流動可能物質を分注するための一方向バルブアセンブリに関する。
【背景技術】
【０００２】
このバルブアセンブリは、圧力により変位し得る可撓性部材または弾性部材によって取り囲まれたバルブ本体を備える。この圧力により変位し得る可撓性部材または弾性部材は、流動可能物質の個々の部分を分注した後の、その流動可能物質の供給源へのあらゆる逆流を防止しながら、制御可能な出口へその流動可能物質を通過させるためのものである。
【０００３】
過去には、流動可能物質を汚染物質を含まない状態に維持するために、その流動可能物質が分注される予定のコンテナの中のその流動可能物質中に防腐剤が混合されてきた。防腐剤を使用することは、付加的な経費であり、そして、その流動可能物質がアイケア液剤のような調合薬である場合かそれが食料品である場合は特に、その流動可能物質の有効性を制限しがちである。
【０００４】
別の考慮すべき事項は、例えばアイケア液剤を目に直接適用する場合に、使用者に被害を全く与えることなく選択された量を出口に送達するというバルブアセンブリの能力である。
【０００５】
近年、流動可能物質の供給源へのあらゆる逆流を防止しながら、バルブアセンブリ出口へのその流動可能物質の流れを制御するために、可撓性膜が使用されてきた。しかし、そのバルブアセンブリを製造し、そしてそのコストを抑えるための有効な手順を提供することは困難なままである。
【発明の開示】
【発明が解決しようとする課題】
【０００６】
それゆえに、本発明の主目的は、流動可能物質の一部が分注された後に、バルブアセンブリを通る、その流動可能物質の供給源への汚染物質のあらゆる逆流を防止しながら、閉じられた供給源（例えば、折り畳み式コンテナ）から流動可能物質を運搬するためのバルブアセンブリを提供することである。
【課題を解決するための手段】
【０００７】
この折り畳み式コンテナは、ふいご型であってもよく、管であってもよく、内部バッグ（ｉｎｔｅｒｎａｌ  ｂａｇ）であってもよく、または事実上その内容物のすべてを分注するように設計されている他の型の折り畳み式形態であってもよい。このコンテナは、上記バルブアセンブリから流動可能物質の流れを分注するための、通常は閉じられた制御可能な出口表面を有する。このコンテナは、流動可能物質が分注される時にこのコンテナの内容物が汚染物質を全く受け取らないように、上記バルブアセンブリとシールされて接触している。
【０００８】
上記流動可能物質の分注は、上記コンテナの内容物が上記バルブアセンブリへ流れるように、そのコンテナに圧力を適用することによってもたらされる。この内容物は、調合薬（例えば、アイケア液剤）であってもよく、または複数回の分注量を分注するあいだ、汚染物質を含まない状態に保たれねばならない他の物質であってもよい。他の流動可能物質としては、食料品もしくは飲料、化粧品または分注操作のあいだ汚染物質を含まない状態に維持されるように意図された他の流動可能物質があり得る。上記コンテナは、圧力が偶発的に適用されないように、筐体によって保護されていてもよい。
【０００９】
上記バルブアセンブリは、上記流動可能物質のコンテナに対して開口した、軸方向に延びる構造体である。このバルブアセンブリは、そのコンテナに対して開口し、かつ剛直なプラスチック構成要素から形成される軸方向に延びた内側コアから形成される。このコアの内部は、上記コンテナから上記流動可能物質を受けるための通路を有する。上記通路から延びる少なくとも１つのポートが、この内側コアから上記流動可能物質を運搬するための開口部を提供する。
【００１０】
この内側コアを堅く閉じるのは、上記内側コアを通る上記ポートの出口端部を覆う軸方向に延びる可撓性膜である。この可撓性膜は、上記流動可能物質が圧力をかけられて、上記ポートを通過し、上記可撓性膜の出口端部に向かって流れるときに、上記内側コアから外側方向に動く。
【００１１】
上記可撓性膜から側面に沿って外側方向にあるのは、制御可能な出口オリフィスで途切れるバルブカバーである。圧力をかけられた流動可能物質は、半径方向外側に拡張された可撓性膜と上記内側コアの外側表面との間を移動し、そしてこの制御可能な出口オリフィスへと流れる。この出口オリフィスは、限定された量の分注されるべき流動可能物質を提供することができる。
【００１２】
オーバーキャップ（天蓋、ｏｖｅｒ  ｃａｐ）は、上記バルブカバーの外部を覆い、保存のあいだ上記バルブアセンブリを保護し、そして偶発的な分注を回避する。
【００１３】
カラーは、上記バルブアセンブリを上記コンテナに連結し、そしてそのコンテナの中への汚染物質のあらゆる流れを防止するシールされた配置を提供する。
【００１４】
本発明を特徴づける新規性の種々の特徴は、本開示に添付されて本開示の一部を形成する特許請求の範囲の中で詳細に指摘される。本発明、本発明の動作、利点およびその使用により達成される具体的な物体のより良い理解のために、本発明の好ましい実施形態が例示されそして説明されている添付の図面および記載事項に対して参照がなされるべきである。
【発明を実施するための最良の形態】
【００１５】
図１に示されるように、一方向バルブアセンブリ１は、滅菌された流動可能物質を保持するふいごコンテナまたは供給源２、コンテナ２に圧力が適用された場合にこの流動可能物質をコンテナ２から出口へ運搬するためのバルブアセンブリ３、およびバルブアセンブリ３を覆って保存のあいだ汚染物質がバルブアセンブリ３に入るのを防止するオーバーキャップ１５からなる。
【００１６】
ふいごコンテナ２は、このコンテナに圧力が適用された場合には、折り畳まれる。しかしながら、分注手順のあと汚染物質がこのコンテナに入ることなく流動可能物質の多数回投与分注を許容する管、またはコンテナ中の内部バッグのような他のコンテナが使用されてもよい。
【００１７】
上記流動可能物質は、調合薬（例えば、アイケア液剤）、食料品（例えば、製品またはジュース）および化粧品（例えば、スキンケア液剤または洗面道具）ならびに液体ビタミンであってもよい。これらのすべては、周囲の大気からの汚染物質を含まないように維持することが意図されている。
【００１８】
ふいごコンテナまたは供給源２は、軸方向に延びる筐体６によって側面に沿って取り囲まれて、分注のあいだ、より良い人間工学的制御を提供する。筐体６中で軸方向に延びるスロット７は、上記流動可能物質が押し出されるにつれて、使用者がコンテナのアクチュエータ２ａに接近することを許容する。
【００１９】
カラー８は、バルブ本体３をコンテナ２に接続し、うろこ状の連結を提供する。その結果、周囲の汚染物質はコンテナ２の中へと通過することはできない。
【００２０】
バルブアセンブリ３は、コンテナ２の開口部に対峙する軸方向に延びる内側コア１０を有し、その結果、このコンテナからの流れは、内側コア中の軸方向に延びる出口のない通路１１の中へと入る。通路１１は、上記内側コアの軸方向長さの主要部分に対して延びる。通路１１の長さの約半分のところに、この内側コアは、その通路の表面から内側コア１０の外側表面へ通路軸の横方向に延びる少なくとも１つのポート１２を有する。内側コア１０は、剛直なプラスチック材料から形成され、そして上記バルブ本体の出口端部の内側で終結する。
【００２１】
可撓性膜１３（例えば、弾性部材）は、上記内側コアの外側表面の上に密に嵌め込まれ、そしてコンテナ２中の開口部から内側コア１０の対向する端部へ延びる。図２ａおよび２ｂで明らかにされ得るように、上記膜の厚みは、その軸方向長さに沿って可変であり、そして上記内側コアの出口端部の領域には、可撓性膜１３の残りの部分よりもかなり厚い、軸方向に延びる連続的な、途切れていない環状の帯を有する。すなわち、この帯は、軸方向に延びる切れ目によって軸方向には分離されていない。
【００２２】
上記コンテナからの開口部に隣接したその端部で、可撓性膜１３は、上記コンテナからの開口部に位置する内側コア上のフランジに対峙する外側に延びるフランジを有する。
【００２３】
軸方向に延びるバルブカバー１４は、可撓性膜１３を取り囲み、そして図２ａに静止位置で示されるように、その可撓性膜の外側表面から半径方向外側に間隔を空けられている。コンテナ２に隣接するバルブカバー１４の端部は、半径方向外側に延びるフランジ１４ａを有する。このフランジ１４ａは、可撓性膜の端部のフランジに対峙し、これによりコンテナ２からの開口部で上記バルブ本体のためのシールがもたらされる。
【００２４】
バルブカバー１４は、そのフランジ１４ａからバルブ本体３の出口端部へ、そしてバルブ本体３の出口端部の上に軸方向に延びる弾性材料の内側層から形成される。この弾性材料は、増加した厚みを有する出口端部を覆う軟質カバー７を形成し、このことは、このバルブアセンブリがアイケア液剤を分注するために使用される場合に特に有利である。このような軟質カバー７は、目に対するあらゆる被害を防止する。
【００２５】
軟質カバー７は、上記流動可能物質を分注するための出口オリフィス７ａを有する。この出口オリフィスは、上記一方向バルブアセンブリの静止位置では閉じているが、しかし上記流動可能物質が分注されていて、上記可撓性膜の出口端部を出るときは、上記流動可能物質は、上記出口オリフィスへと半径方向内側へ流れ、次いでこの出口オリフィスは開いてこの物質がバルブアセンブリから外へ流れることを可能にする。上記流動可能物質が分注され、供給源上の圧力が除かれると、出口オリフィス７ａは閉じてバルブアセンブリの中へのあらゆる逆流を遮断する。
【００２６】
出口オリフィス７ａを選択的に寸法決めすることによって、例えば、アイケア液剤が分注されている場合、滴のような量の流動可能物質が分注され得る。もしもより多い量（ａｍｏｕｎｔ）の流動可能物質が分注されるべき場合は、外側オリフィス７ａを、より多い量（ｑｕａｎｔｉｔｙ）の流動可能物質を分注するように形成することができる。外側オリフィス７ａを、上記流動可能物質の噴霧または流れを提供するように形成することができる。
【００２７】
オーバーキャップ１５は、バルブアセンブリを覆って配置される。
【００２８】
上記流動可能物質が分注されるべき場合、オーバーキャップ１５は取り除かれ、コンテナのアクチュエータ２ａへ圧力が適用される。その結果、ある量の流動可能物質が、そのコンテナから外へ、内側コア１０中の通路１１の中へと通過する。この物質は、ポート（少なくとも１つのポート１２）を通って流れ、そして可撓性膜１３を半径方向外側に拡張し、そして可撓性膜の出口端部に向かって流れる。ここでその物質は、可撓性膜から半径方向内側へカバー中の出口オリフィスの中へ出て分注される。
【００２９】
コンテナのアクチュエータ２ａ上の圧力を解放することによって、分注操作は終わり、可撓性膜１３は、内側コア１０の外側表面と接触するように内側方向へ戻る。上記可撓性膜の内側方向への移動は、その増加した厚みによってその出口端部で始まり、この可撓性膜を内側コアの外側表面と徐々に接触させ、上記ポートを通ってコンテナの中へと逆にあらゆる流動可能物質を戻す。これにより汚染物質はこのコンテナへは入ることができない。
【００３０】
上記流動可能物質の個々の部分を分注することは、そのコンテナがほぼ完全に空になるまで継続することができる。
【００３１】
上述のように、種々の調合薬、化粧品、食料品および他の流動可能材料が分注され得る。この場合、これらを周囲の大気からの汚染物質を含まない状態に維持されることが重要である。分注されている材料の流動可能特性は、バルブ本体の型および寸法を決定する。
【００３２】
出口オリフィス７ａを形成する材料は上記流動可能物質を吸収せず、この出口オリフィスに入るあらゆる物質は放出され、そして上記内側コアと上記可撓性膜とのあいだの空間の中へは戻らない。
【図面の簡単な説明】
【００３３】
【図１】本発明を具現化する一方向バルブアセンブリの軸方向拡張図である。
【図２】図１に示された一方向バルブアセンブリの分解組立図である。
【図３Ａ】静止位置にある一方向バルブアセンブリの拡大された軸方向拡張部分図である。
【図３Ｂ】図３Ａと類似した部分図であるが、この一方向バルブアセンブリは分注位置にある。
【図４】図３Ｂに示された一方向バルブアセンブリの分注端部の拡大された、部分的軸方向拡張図である。
【図１】
2009515165.tif 000003
【図２】
2009515165.tif 000004
【図３Ａ】
2009515165.tif 000005
【図３Ｂ】
2009515165.tif 000006
【図４】
2009515165.tif 000007
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
流動可能物質を分注するための、連続的にシールする一方向バルブアセンブリおよび送達システムであって、
開口部を有する、前記流動可能物質の保存のための供給源；
前記供給源の前記開口部へ連結されたバルブアセンブリであって、
（ｉ）内側コアであって、前記流動可能物質を通路の中へと受けるための入口開口部および前記通路からの少なくとも１つのポート開口部を有する、内側コア、
（ｉｉ）第ｌの端部および第２の端部を有する管状可撓性膜であって、前記第１の端部は前記第２の端部よりも厚く、ここで前記管状可撓性膜は、前記内側コアの外側表面の上に嵌め込まれ、そして前記流動可能物質が圧力の下に置かれた場合に、前記流動可能物質が前記少なくとも１つのポート開口部を通って出て前記内側コアの外側表面から外側へ前記膜を拡張し、その結果、前記流動可能物質が前記管状可撓性膜の前記第１の端部から出る、管状可撓性膜、を備える、バルブアセンブリ；
カバーであって、前記可撓性膜を取り囲み、そして圧力が前記流動可能物質に適用される場合に、前記バルブアセンブリから前記流動可能物質を分注するための出口オリフィスを有する、カバーを備え、そして
前記流動可能物質上の圧力が解放される場合に、前記管状可撓性膜の前記第１の端部が、前記内側コアの外側表面と堅く嵌り込んで接触するように逆に動き、その後に前記管状可撓性膜の残りの部分が前記内側コアの外側表面と堅く嵌り込んで接触するように逆に動く、連続的にシールする一方向バルブアセンブリおよび送達システム。
【請求項２】
前記管状可撓性膜が、前記カバー中の前記出口オリフィスに隣接して、前記管状可撓性膜の前記第１の端部に、軸方向に延びる、途切れていない連続的な、そして前記コアを完全に取り囲む環状の帯を有する、請求項１に記載の連続的にシールする一方向バルブアセンブリおよび送達システム。
【請求項３】
前記膜が、前記内側コアの前記通路に隣接してその前記第２の端部に、半径方向外側に延びるフランジを有し、そして前記カバーもまた、前記膜上の前記フランジを押して、前記内側コアの中への前記通路開口部で、半径方向外側に延びるフランジと流体密接触させる半径方向外側に延びるフランジを有する、請求項１に記載の連続的にシールする一方向バルブアセンブリおよび送達システム。
【請求項４】
前記供給源上のカラーおよびコネクタ部材が前記バルブアセンブリを前記供給源に固定する、請求項３に記載の連続的にシールする一方向バルブアセンブリおよび送達システム。
【請求項５】
前記コネクタ部材が、前記カラーと嵌合するねじである、請求項４に記載の連続的にシールする一方向バルブアセンブリおよび送達システム。
【請求項６】
前記供給源上の前記カラーおよびコネクタ部材が、前記供給源の開口を防止する確実な締まりをもたらす、請求項５に記載の連続的にシールする一方向バルブアセンブリおよび送達システム。
【請求項７】
前記カバー中の前記出口オリフィスが、それが選択された量の前記流動可能物質を分注することができるように配置されている、請求項１に記載の連続的にシールする一方向バルブアセンブリおよび送達システム。
【請求項８】
前記カバー中の前記出口オリフィスが軟質材料から形成されている、請求項１に記載の連続的にシールする一方向バルブアセンブリおよび送達システム。
【請求項９】
前記カバー中の前記出口オリフィスが可撓性材料から形成されている、請求項１に記載の連続的にシールする一方向バルブアセンブリおよび送達システム。
【請求項１０】
前記カバーが、軸方向に沿って延びる剛直なプラスチックの殻により側面に沿って取り囲まれている、内側の軸方向に延びる可撓性部材から形成されている、請求項１に記載の連続的にシールする一方向バルブアセンブリおよび送達システム。
【請求項１１】
外部汚染物質が、保存のあいだ、前記バルブアセンブリと接触するのを防止するに十分なほど、前記バルブアセンブリの上に嵌り込み、そして前記バルブアセンブリとのシールを形成するようにオーバーキャップが配置されている、請求項１に記載の連続的にシールする一方向バルブアセンブリおよび送達システム。
【請求項１２】
少なくとも２つのポートが前記通路から前記内側コアを通ってそして前記可撓性膜の内側表面へと延びる、請求項１に記載の連続的にシールする一方向バルブアセンブリおよび送達システム。
【請求項１３】
前記供給源が折り畳み式供給源を備え、前記折り畳み式供給源が、前記流動可能物質が前記折り畳み式供給源から分注されるにつれてそれに比例して体積が減少し得る、請求項１に記載の連続的にシールする一方向バルブアセンブリおよび送達システム。
【請求項１４】
前記折り畳み式供給源がふいご、管および内部バッグのうちの１つである、請求項１３に記載の連続的にシールする一方向バルブアセンブリおよび送達システム。
【請求項１５】
軸方向に延びる筐体が前記供給源を側面に沿って取り囲む、請求項１に記載の連続的にシールする一方向バルブアセンブリおよび送達システム。
【請求項１６】
前記筐体が、分注圧力を前記折り畳み式供給源のアクチュエータに適用するために軸方向に延びるスロットを有する、請求項１５に記載の連続的にシールする一方向バルブアセンブリおよび送達システム。
【請求項１７】
前記カバーが閉じられた出口オリフィスを有し、分注圧力が前記供給源に適用される場合に、前記閉じられた出口オリフィスが、前記カバーから前記流動可能物質を分注するために開口する、請求項１に記載の連続的にシールする一方向バルブアセンブリおよび送達システム。
【請求項１８】
前記カバー中の出口オリフィスが、前記流動可能物質に対して不浸透性であり、前記出口オリフィスの内側に前記流動可能物質を保持しない、請求項１７に記載の連続的にシールする一方向バルブアセンブリおよび送達システム。
【請求項１９】
前記供給源が防腐剤を含まない製品で満たされている、請求項１に記載の一方向バルブアセンブリおよび送達システム。
【請求項２０】
前記防腐剤を含まない製品が、調合薬、食料品、化粧品製品および液体ビタミンのうちの１つから選択される、請求項１９に記載の一方向バルブアセンブリおよび送達システム。
【国際調査報告】
2009515165.tif 000008